(57)【特許請求の範囲】
【請求項１】
画像読取のための光源を有して所定方向へ走行する走査走行体と、前記走査走行体の下方に設けられて前記走査走行体の走行方向に沿って延出するガイド部材と、一端が前記ガイド部材に取り付けられて他端が前記走査走行体の下方に配置され、前記走査走行体の走行方向に沿って摺動自在であるガイド部材摺動部材と、前記走査走行体の上に配設された緩衝部材と、前記走査走行体と前記ガイド部材摺動部材と前記緩衝部材とをネジ留めするネジと、前記緩衝部材に設けられて前記光源に通電するためのコネクタを保持するコネクタ保持部と、を備え、
前記緩衝部材を電気絶縁性の材料によって形成し、
前記走査走行体と前記ネジとの間に前記緩衝部材を挟むようにしてネジ留めするようにした画像読取装置。
【請求項２】
前記走査走行体の走行方向に沿って移動する移動部材を設け、前記移動部材と前記緩衝部材との間に凹凸部を形成し、前記凹凸部を嵌合させることによって前記走査走行体を前記移動部材に固定して、前記移動部材により前記走査走行体をその走行方向に走行させるようにした請求項１記載の画像読取装置。
【請求項３】
前記凹凸部を連続させて形成し、複数の凹凸を嵌合させることにより前記走査走行体を前記移動部材に固定するようにした請求項２記載の画像読取装置。
【発明の詳細な説明】
【０００１】
【発明の属する技術分野】
本発明は、原稿固定型の画像読取装置に関する。
【０００２】
【従来の技術】
従来、光源とミラーとが取り付けられた第一走行体と二枚のミラーが取り付けられた第二走行体とを２：１の速度比で走査方向へ走行させることによって、所定の原稿画像を読み取るようにした画像読取装置がある。
【０００３】
このような構成の画像読取装置では、第一走行体および第二走行体の下方には、第一走行体および第二走行体の走行方向に延出するガイド部材が設けられている。第一走行体は、一端がガイド部材に取り付けられてガイド部材に沿って摺動自在である移動部材に、ネジによってネジ留めすることで走行方向に摺動自在となる。第一走行体には、光源として使用されるランプが設けられている。このランプにはコネクタが取り付けられ、このコネクタを第一走行体から電源に接続するコネクタに接続してランプに通電させることによって、ランプが原稿を読み取るための光を発光する。
【０００４】
第一走行体、移動部材等の構成材料には、強度的な問題から金属材料を用いることが多い。
【０００５】
【発明が解決しようとする課題】
ところが、第一走行体をガイド部材に直接ネジ留めすると、ネジを締める際の回転力と押圧力とによって第一走行体がネジの回転方向に傾いて、所定の位置からずれてしまうという問題がある。これにより、光軸のずれが生じて、読み取った画像に歪みや部分ボケが生じてしまうという不都合がある。
【０００６】
また、コネクタ接続部の周辺は電気的絶縁を必要とするが、コネクタ接続部の周辺には多くの金属部材が設けられているため、電気的絶縁の機構が大掛かりになってしまうという問題もある。
【０００７】
本発明は、走査走行体を所定の位置に取り付けることができる画像読取装置を得ることを目的とする。
【０００８】
本発明は、大型化せずにコネクタ周辺の電気的絶縁をすることができる画像読取装置を得ることを目的とする。
【０００９】
【課題を解決するための手段】
請求項１記載の発明の画像読取装置は、画像読取のための光源を有して所定方向へ走行する走査走行体と、前記走査走行体の下方に設けられて前記走査走行体の走行方向に沿って延出するガイド部材と、一端が前記ガイド部材に取り付けられて他端が前記走査走行体の下方に配置され、前記走査走行体の走行方向に沿って摺動自在であるガイド部材摺動部材と、前記走査走行体の上に配設された緩衝部材と、前記走査走行体と前記ガイド部材摺動部材と前記緩衝部材とをネジ留めするネジと、を備え、前記走査走行体と前記ネジとの間に前記緩衝部材を挟むようにしてネジ留めするようにした。
【００１０】
したがって、走査走行体をガイド部材摺動部材に取り付ける際に、ネジと走査走行体との間に緩衝部材を挟むようにしてネジ留めすることによって、ネジを締めることによって生じる走査走行体への回転力や押圧力が緩衝部材によって分散され、ネジの回転力や押圧力によって、走査走行体が所定の位置からずれてしまうことがない。
【００１１】
請求項１記載の発明は、前記緩衝部材に前記光源に通電するためのコネクタを保持するコネクタ保持部を設け、前記緩衝部材を電気絶縁性の材料によって形成した。
【００１２】
したがって、コネクタを保持するコネクタ保持部を備える緩衝部材を電気的絶縁性の材料によって形成したため、コネクタ保持部の周辺の走査走行体や移動部材等に漏電することがない。
【００１３】
請求項２記載の発明は、請求項１記載の画像読取装置において、前記走査走行体の走行方向に沿って移動する移動部材を設け、前記移動部材と前記緩衝部材との間に凹凸部を形成し、前記凹凸部を嵌合させることによって前記走査走行体を前記移動部材に固定して、前記移動部材により前記走査走行体をその走行方向に走行させるようにした。
【００１４】
したがって、凹凸部を嵌合させて走査走行体を移動部材に直接固定することにより、移動部材によって走査走行体をより安定して走行させることができ、移動部材によって走査走行体を走行させる場合においても、走査走行体が所定の位置からずれてしまうことがない。
【００１５】
請求項３記載の発明は、請求項２記載の画像読取装置において、前記凹凸部を連続させて形成し、複数の凹凸を嵌合させることにより前記走査走行体を前記移動部材に固定するようにした。
【００１６】
したがって、複数の凹凸部を嵌合させて走査走行体を移動部材に固定することにより、請求項３記載の発明よりも、移動部材に対して走査走行体をより確実に固定させることができ、移動部材によって走査走行体を走行させる場合においても、走査走行体が所定の位置からずれてしまうことがない。
【００１７】
【発明の実施の形態】
本発明の実施の一形態を図１ないし図６に基づいて説明する。本実施の形態の画像読取装置は、原稿固定型の画像形成装置に適用したものである。
【００１８】
図１は、画像形成装置全体を示す縦断側面図である。筐体としての本体ケース１には、画像を形成するシート材を積層保持する給紙トレイ２と、画像が形成されたシート材を排紙する排紙スタッカ部３とが取り付けられている。本体ケース１内には、給紙トレイ２から画像形成部４、定着器５を経由して排紙スタッカ部３に至るシート材搬送路６が形成されている。画像形成部４は、本体ケース１内のほぼ中央に配設された感光体７の周囲に、感光体７の表面を一様に帯電する帯電器８、後述する画像読取機構で読み取った画像を露光することによって感光体７上に形成した静電潜像をトナー像として顕像化する現像器９、顕像化されたトナー像を給紙トレイ２から搬送したシート材に転写する転写器１０、感光体７上の電荷を一掃する除電器１１、感光体７上に残存するトナーを除去するクリーナー１２等が配設されて構成されている。シート材に転写されたトナー像は、定着器５で加圧および加熱してシート材に定着する。
【００１９】
本体ケース１の上部には、原稿画像を読み取る画像読取機構を備える画像読取ケース１３が取り付けられている。画像読取ケース１３の上面には、読取原稿を載置するコンタクトガラス１４が設けられている。このコンタクトガラス１４に対して光源としてのランプ１５で発光した光を照射し、コンタクトガラス１４からの戻り光を第一ミラー１６、第二ミラー１７、第三ミラー１８で順次反射する。第三ミラー１８は、第二ミラー１７からの反射光を結像レンズ１９へ向けて反射する。結像レンズ１９を通過した反射光を固定ミラー２０で反射して感光体７の表面を露光することによって、感光体７上に静電潜像を形成する。ランプ１５と第一ミラー１６とは、走査走行体としての第一走行体２１に設けられ、第二ミラー１７と第三ミラー１８とは第二走行体２２に設けられている(図２参照)。
【００２０】
図２は、画像読取機構の概略を示す斜視図であり、図３は、その一部を示す斜視図である。画像読取ケース１３内には、第一走行体２１および第二走行体２２の走行方向に沿って延出するガイド部材としての一対のレール２３が設けられている。このレール２３の一方は、断面形状が略Ｃ字形に形成されたボール転がりスライドレール２３ａであり、他方は、断面形状が略コの字形に形成されたスライドレール２３ｂである。ボール転がりスライドレール２３ａの内側には、ボール転がりスライドレール２３ａの内周面に回動自在に当接して移動自在な複数個の球２４と、この球２４を回転自在に保持してレール２３の延出方向に沿って移動自在なインナーレール２５とが設けられている。インナーレール２５には、ガイド部材摺動部材としてのブラケット２６が固定されている。ブラケット２６には、ネジ孔２７が形成されている(図５参照)。
【００２１】
図４は、第一走行体および第二走行体の駆動機構を概略的に示す側面図である。第一走行体２１および第二走行体２２は、ボール転がりスライドレール２３ａおよびスライドレール２３ｂと直交する向きに配設されている。第一走行体２１の一端は、緩衝部材としての留め部材２８とともにブラケット２６に固定され、他端は摺動性の良いシュー(図示せず)を介してスライドレール２３ｂに当接されている。第二走行体２２は、第一走行体２１より低い位置に配設され、その一端は、摺動性の良いシュー２２ａによってボール転がりスライドレール２３ａに対して摺動自在に取り付けられ、他端は摺動性の良いのシュー(図示せず)を介してスライドレール２３ｂの内周面に当接されている。
【００２２】
第一走行体２１の下には、ボール転がりスライドレール２３ａに平行して延出する、移動部材としての駆動ベルト２９が設けられ、第二走行体２２の下には、第二走行体２２に取り付けられた一対のプーリ３０に掛け渡されてボール転がりスライドレール２３ａに平行して延出するループ状ベルト３１が設けられている。駆動ベルト２９には、一方の凹凸部としての外側に向けた歯型部３２が形成されている。駆動ベルト２９およびループ状ベルト３１はそれぞれ図示しないモータによって駆動される。駆動ベルト２９には、ブラケット２６の先端が取り付けられている。ループ状ベルト３１の一個所は画像読取ケース１３に固定された固定材３３に取り付けられ、ループ状ベルト３１の他の一個所は第一走行体２１に取り付けられている。これによって、第一走行体２１および第二走行体２２は、２：１の速度比でコンタクトガラス１４の下を所定方向へ走行することができ、コンタクトガラス１４上に載置された読取原稿を感光体７上に露光可能にする。
【００２３】
ここで、図５は第一走行体の取付部を示す分解斜視図であり、図６は留め部材を示す斜視図である。第一走行体２１のボール転がりスライドレール２３ａ側には、上下方向に貫通するネジ孔３４と、駆動ベルト２９に向けて開口する歯型孔３５が形成されている。
【００２４】
第一走行体２１のボール転がりスライドレール２３ａ側に設けられた留め部材２８は、第一走行体２１を固定するための固定部３６と、ランプ１５のコネクタ１５ａを保持するためのコネクタ保持部３７とから構成されている。コネクタ保持部３７は、固定部３６に対して着脱自在である。固定部３６には、上下方向に貫通するネジ孔３８と、もう一方の凹凸部としての下向きの歯型部３９とが設けられている。歯型部３９の凹凸のピッチは、駆動ベルト２９の歯型部３２の凹凸のピッチと同じである。コネクタ保持部３７には、図示しない電源に接続されたコネクタ４０が設けられている。このコネクタ４０にランプ１５のコネクタ１５ａを接続することによって、ランプ１５に通電する。コネクタ保持部３７は、コネクタ４０の両側方から前方に延出する突起４１を有しており、ランプ１５のコネクタ１５ａは、この突起４１にはめ込まれて保持されている。固定部３６およびコネクタ保持部３７は、樹脂材料等の電気的に絶縁性の材料によって構成されている。これによって、コネクタ１５ａとコネクタ４０との接続部周辺が樹脂材料により覆われ、コネクタ１５ａとコネクタ４０との接続部と第一走行体２１との間に電気が流れることがなくなるため、装置を大型化せずにコネクタ１５ａとコネクタ４０との接続部周辺の電気的絶縁をすることができる。
【００２５】
また、ネジ４２によって、ネジ孔２７、ネジ孔３４、ネジ孔３８をネジ留めすることにより、第一走行体２１とブラケット２６と留め部材２８とが固定される。
【００２６】
このような構成において、第一走行体２１の取付について説明する。まず、ブラケット２６を所定の位置に設定した状態で、ブラケット２６のネジ孔２７と第一走行体２１のネジ孔３４とを重ね合わせる。この状態で、留め部材２８の歯型部３９を歯型孔３５にはめ込んで、歯型部３９と駆動ベルト２９の歯型部３２とを噛み合わせる。これによって、第一走行体２１の駆動ベルト２９に対する位置が固定される。そして、留め部材２８のネジ孔３８にネジ４２をはめ込み、ブラケット２６と第一走行体２１と留め部材２８とをネジ留めする。このとき、ネジ４２と留め部材２８との接触面積より、ネジ４２と第一走行体２１との接触面積の方が大きく設けられているため、ネジ４２による回転力と押圧力とが留め部材によって分散される。これによって、ネジ４２を締める際に第一走行体２１が回転して走査方向からずれてしまうことがない。
【００２７】
したがって、第一走行体２１とネジ４２との間に留め部材２８を設けることによって、装置を大型化することなく簡単な構造で、第一走行体２１を所定の位置に取り付けることができる。また、歯型部３９を駆動ベルトの歯型部３２に噛み合わせることにより、第一走行体２１が駆動ベルト２９に対してより確実に固定され、第一走行体２１を走行させた場合にも、所定の位置からずれすることを防止できる。
【００２８】
なお、本実施の形態においては、球２４とインナーレール２５等からなるボール転がりスライドレール２３ａと駆動ベルト２９とループ状ベルト３１とを用いて第一走行体２１および第二走行体２２を所定方向へ走行させるようにしたが、これに限るものではなく、第一走行体２１と第二走行体２２とを２：１の速度比で走行させることができる機構であればよい。
【００２９】
また、本実施の形態においては、画像形成装置に適用したが、これに限るものではなく、例えばデジタルスキャナやイメージスキャナ等に適用してもよい。
【００３０】
【発明の効果】
請求項１記載の発明の画像読取装置によれば、走査走行体をガイド部材摺動部材に固定する際に、ネジと走査走行体との間に緩衝部材を挟むようにしてネジ留めすることによって、ネジを締めることによる回転力や押圧力を緩衝部材によって分散させて、ネジの回転力や押圧力が走行体の一個所に集中的にかかることによって、走査走行体が所定の位置からずれてしまうことがないようにしたので、緩衝部材を挟むだけで装置を大型化せずに走査走行体を所定の位置に取り付けることができる。
【００３１】
請求項１記載の画像読取装置によれば、コネクタを保持するコネクタ保持部を設けた緩衝部材を電気絶縁性の材料によって形成したので、光源に通電した際にも、コネクタ接続部周辺の電気がコネクタ保持部から走査走行体や移動部材等に漏電することを防止でき、緩衝部材を挟むだけで装置を大型化せずにコネクタ周辺の電気的絶縁をすることができる。
【００３２】
請求項２記載の画像読取装置によれば、請求項１記載の発明において、走査走行体の走行方向に沿って移動する移動部材を設け、移動部材と緩衝部材との間に形成した凹凸部を嵌合させることによって走査走行体を移動部材に固定して、移動部材により走査走行体を走査走行体の走行方向に走行させるようにしたので、走査走行体を移動部材に直接固定することにより、移動部材によって走査走行体をより安定して走行させることができ、移動部材によって走査走行体を走行させる場合においても、走査走行体が所定の位置からずれてしまうことがなく、走査走行体をより安定して走行させることができる。
【００３３】
請求項３記載の発明の画像読取装置によれば、請求項２記載の発明において、凹凸部を連続して形成し、複数の凹凸部を嵌合させることにより走査走行体を移動部材に固定するようにしたので、移動部材に対して走査走行体をより確実に固定させることができ、移動部材によって走査走行体を走行させる場合においても、走査走行体が所定の位置からずれてしまうことがなく、走査走行体をより安定して走行させることができる。
【図面の簡単な説明】
【図１】画像形成装置全体を示す縦断側面図である。
【図２】画像読取機構の概略を示す斜視図である。
【図３】画像読取機構の一部を示す斜視図である。
【図４】第一走行体および第二走行体の駆動機構を概略的に示す斜視図である。
【図５】第一走行体の取付部を示す分解斜視図である。
【図６】留め部材を示す斜視図である。
【符号の説明】
１５  光源
１５ａ  コネクタ
２１  走査走行体
２３  ガイド部材
２６  ガイド部材移動部材
２８  緩衝部材
３２、３９  凹凸部
３７  コネクタ保持部
４２  ネジ
【図１】
0003665222.tif 000002
【図２】
0003665222.tif 000003
【図３】
0003665222.tif 000004
【図４】
0003665222.tif 000005
【図５】
0003665222.tif 000006
【図６】
0003665222.tif 000007